(57)【要約】【課題】ユーザが搬送路に指等を差し入れずとも、搬送路に残留したカードを取り出すことができるカード搬送装置を提供する。【解決手段】軸１０３〜１０７にプーリー１１３〜１１７が設けられ、これらプーリー１１３〜１１７にベルト１１８〜１２１が掛けられている。軸１０３〜１０７に搬送ローラ１２３〜１２７が直結され、軸１０５にウォームホイール１８１が直結されている。レバー１８４にモータ１８３が設けられ、モータ１８３にウォーム１８２が直結されている。カバー１７１によってレバー１８４を押し下げると、ウォーム１８２がウォームホイール１８１から外れ、ツマミ１７２を回転することで、残留したカードを取り出すことができる。【選択図】図２
2007145571.tif 000002
【特許請求の範囲】
【請求項１】
シャーシと、
前記シャーシに対して移動可能に設けられたレバーと、
前記レバーに取り付けられたモータと、
前記モータの駆動取出軸に連結された動力伝達部と、
前記動力伝達部に連結可能な伝動機構と、
前記伝動機構により前記モータの動力を伝動されて、カードを搬送路に沿って搬送する搬送部材と、を備え、
前記レバーが、前記動力伝達部が前記伝動機構に連結した状態と、前記動力伝達部が前記伝動機構から外れた状態との間で移動可能に設けられていることを特徴とするカード搬送装置。
【請求項２】
前記動力伝達部が前記伝動機構に連結した状態となるように前記レバー又は前記モータを付勢する付勢手段を更に備えることを特徴とする請求項１に記載のカード搬送装置。
【請求項３】
前記搬送路の上を覆った状態と、前記搬送路の上から外れて前記レバーを前記動力伝達部が前記伝動機構から外れた状態に押した状態とに移動可能に前記シャーシに設けられたカバーを更に備えることを特徴とする請求項１又は２に記載のカード搬送装置。
【請求項４】
前記伝動機構に連結されて前記伝動機構に動力を伝動可能なツマミを更に備えることを特徴とする請求項１から３の何れか一項に記載のカード搬送装置。
【発明の詳細な説明】
【技術分野】
【０００１】
本発明は、カードを搬送路に沿って搬送するカード搬送装置に関する。
【背景技術】
【０００２】
従来、カードプリンタにおいては、複数枚のカードがホッパー内に積み重ねられ、カード搬出装置によってカードが下から一枚ずつ昇華型プリンタヘッドへ搬出され、搬出されたカードがカード搬送装置によって昇華型プリンタヘッドの下に搬送され、そのカードが昇華型プリンタヘッドによって印画される。カード搬送装置は、爪部材によってカードを押すことで搬送するもの、回転するローラによってカードを搬送するもの、無端状のベルトによってカードを搬送するもの等がある。
【０００３】
ところで、カードのジャムが発生し、カードが搬送路に残留することがある。そのため、残留したカードを取り出すために、カード搬送装置には様々な工夫がなされている。例えば、特許文献１では、互いに圧接した２つの搬送ローラのうち上側の搬送ローラを下側の搬送ローラから上に離すことで、ユーザによってカードを取り出すことができるカード搬送装置について記載されている。
【特許文献１】特開平６−３０５１６６号公報
【発明の開示】
【発明が解決しようとする課題】
【０００４】
しかし、従来のカード搬送装置では、残留したカードを取り出すためには、ユーザが指でカードを取り出さなければならず、残留したカード、特にカードの印画部分を汚してしまう。また、ユーザは搬送路に指を差し入れる必要があり、簡単にカードが取り出せないことがある。
【０００５】
そこで、本発明は、上記課題を解決するためになされたものであり、ユーザが搬送路に指等を差し入れずとも、搬送路に残留したカードを取り出すことができるカード搬送装置を提供することを目的とする。
【課題を解決するための手段】
【０００６】
以上の課題を解決するために、本発明においては、カード搬送装置が、シャーシと、前記シャーシに対して移動可能に設けられたレバーと、前記レバーに取り付けられたモータと、前記モータの駆動取出軸に連結された動力伝達部と、前記動力伝達部に連結可能な伝動機構と、前記伝動機構により前記モータの動力を伝動されて、カードを搬送路に沿って搬送する搬送部材と、を備え、前記レバーが、前記動力伝達部が前記伝動機構に連結した状態と、前記動力伝達部が前記伝動機構から外れた状態との間で移動可能に設けられているという構成を採った。
【０００７】
好ましくは、前記カード搬送装置は、前記動力伝達部が前記伝動機構に連結した状態となるように前記レバー又は前記モータを付勢する付勢手段を更に備える。
【０００８】
好ましくは、前記カード搬送装置は、前記搬送路の上を覆った状態と、前記搬送路の上から外れて前記レバーを前記動力伝達部が前記伝動機構から外れた状態に押した状態とに移動可能に前記シャーシに設けられたカバーを更に備える。
【０００９】
好ましくは、前記カード搬送装置は、前記伝動機構に連結されて前記伝動機構に動力を伝動可能なツマミを更に備える。
【発明の効果】
【００１０】
本発明によれば、レバーは動力伝達部が伝動機構に連結した状態と動力伝達部が伝動機構から外れた状態との間で移動可能に設けられているから、搬送路でカードのジャムが発生した場合、ユーザ等がレバーを動かすことで動力伝達部が伝動機構から外れ、モータの動力が搬送部材に伝動しなくなる。従って、ユーザ等が伝動機構を動かせば搬送部材によってカードを動かすことができるので、モータに干渉されずに且つユーザ等がカードに直接触れずに、カードを安全に取り出すことができる。そのため、残留したカードを指等で汚すこともない。特に、伝動機構にツマミが連結されていれば、ユーザが伝動機構に直接触れずに、ツマミを動かせば、カードを安全に取り出すことができる。また、動力伝達部が伝動機構から外れていれば、ユーザがツマミや伝動機構を軽い力で動かすことができ、残留したカードを簡単に取り出すことができる。
【００１１】
一方、レバーを逆に動かせば、動力伝達部が伝動機構に連結し、モータの動力が伝動機構を通じて搬送部材に伝動する。ここで、付勢手段によりレバー又はモータを付勢すれば、動力伝達部が伝動機構に連結した状態を安定して保つことができ、残留したカードを取り出す場合には、ユーザ等がレバーを付勢手段に抗して動かせば良い。
【００１２】
また、カバーによって搬送路を覆った状態にすれば、搬送路上に塵埃が混入することを防止することができる。一方、カバーによってレバーを押した状態にすれば、動力伝達部を伝動機構から外すことができる。
【発明を実施するための最良の形態】
【００１３】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００１４】
〔カードプリンタの全体構成〕
図１は、カードプリンタ１の概略正面図である。
図１に示すように、カードプリンタ１の上段には、ホッパーユニット１０、画像形成ユニット２０及びリーダー・ライター４０が設けられ、カードプリンタ１の下段には、オーバーコートユニット６０，７０及びスタッカユニット８０が設けられている。ホッパーユニット１０には、下方で開口した箱状のホッパー１１〜１３が取り付けられている。これらホッパー１１〜１３内には、複数枚のカードが積み重ねられ、一番上のカードの上におもりが載置され、ホッパー１１〜１３内のカードが少なくなって浮いたりしないように適度におもりにより加圧されている。
【００１５】
ホッパー１１〜１３はホッパーユニット１０に対して着脱可能に設けられ、交換式とされている。従って、ホッパー１１〜１３内のカードが無くなった場合に、ユーザはホッパー１１〜１３をホッパーユニット１０から外し、複数枚のカードが積み重ねられた新たなホッパー１１〜１３をホッパーユニット１０に取り付けることで、カードを補充することができる。なお、ホッパー１１〜１３毎にカードの種類が異なるので、ここでは三種類のカードが用いられる。
【００１６】
ホッパー１１〜１３のそれぞれの下には、後述のカード搬出装置（図示略）が設けられ、カード搬出装置の手前側にはカード搬送装置１００が設けられ、カード搬出装置によって最下段のカードが１枚ずつ順次カード搬送装置１００に搬出される。このカード搬送装置１００に搬出されたカードは、カード搬送装置１００によって画像形成ユニット２０に搬送される。なお、図１では、カードの搬送方向を矢印３０で示し、搬送されているカードを符号９９を付す。
【００１７】
カード搬送装置１００のカード搬送方向３０下流側には、搬送されるカードに画像を形成する画像形成ユニット２０が配置されている。また、カードプリンタ１の上段には、複数の搬送ローラがカード搬送経路に沿って配列され、カード搬送経路にあるカードがこれら搬送ローラによって画像形成ユニット２０からリーダー・ライター４０へ搬送される。
【００１８】
画像形成ユニット２０は、プリントユニット２１〜２４と、熱処理ユニット２５とを具備する。これらのユニット２１〜２５は、搬送方向の上流側からプリントユニット２１、プリントユニット２２、プリントユニット２３、熱処理ユニット２５、プリントユニット２４の順に配列されている。
【００１９】
プリントユニット２１〜２４は、昇華型熱転写プリントユニットである。つまり、プリントユニット２１〜２４は、それぞれ、インクリボンカセット２１ａ〜２４ａと、インクリボンカセット２１ａ〜２４ａから繰り出されたインクリボンの上に配置されたサーマルヘッド２１ｂ〜２４ｂと、インクリボンを挟んでサーマルヘッド２１ｂ〜２４ｂに対向配置されたプラテンローラ２１ｃ〜２４ｃとを具備する。プリントユニット２１〜２４は、カードの裏面をプラテンローラ２１ｃ〜２４ｃで支持した状態で、インクリボンカセット２１ａ〜２４ａのインクリボン上のインクをサーマルヘッド２１ｂ〜２４ｂにより昇華させ、カードの表面にインクを転写することで印刷する。インクリボンカセット２１ａ〜２４ａのインクリボンの色はそれぞれイエロー（Ｙ）、マゼンタ（Ｍ）、シアン（Ｃ）、ブラック（Ｋ）であるので、プリントユニット２１がイエローで印刷を行い、プリントユニット２２がマゼンタで印刷を行い、プリントユニット２３がシアンで印刷を行い、プリントユニット２４がブラックで印刷を行う。
【００２０】
熱処理ユニット２５は、プリントユニット２３とプリントユニット２４との間に配設されている。この熱処理ユニット２５は、熱処理ヘッド２５ｂと、熱処理ヘッド２５ｂに対向したプラテンローラ２５ｃとを備え、カードをプラテンローラ２５ｃで支持した状態で、プリントユニット２１〜２４によりカードの表面に付着したインクを熱処理ヘッド２５ｂにより発色させる。
【００２１】
画像形成ユニット２０のカード搬送方向３０下流側には、リーダー・ライター４０が配設されている。リーダー・ライター４０は、カード特にＩＣチップに所定の情報を書き込んだり、カードから情報を読み出したりする機能を有する。
【００２２】
リーダー・ライター４０の下方には、落下ユニット５０が配設されている。この落下ユニット５０は上下に回動するテーブルを具備し、画像形成ユニット２０から搬送されたカードを水平状態となったテーブルに受け、リーダー・ライター４０による読み書きが終了した後にテーブルを垂下させることでそのカードを落下させる。
【００２３】
また、カードプリンタ１の下段には、搬送ローラ、搬送ベルトといった搬送機構が設けられ、落下ユニット５０によって落下したカードが搬送機構によってオーバーコートユニット６０，７０を経由して、スタッカユニット８０に搬送される。
【００２４】
落下ユニット５０の下方にオーバーコートユニット６０が配設され、オーバーコートユニット６０の搬送方向３０下流側にオーバーコートユニット７０が配設されている。オーバーコートユニット６０，７０は、それぞれ、転写箔カセット６１，７１と、熱転写ヘッド６２，７２とを有し、転写箔カセット６１，７１から繰り出された転写箔を熱転写ヘッド６２，７２によりカードの表面にコーティングする。これにより、印刷されたカードの表面を剥れ、損傷、改ざん等を防止することができる。転写箔としては、例えば光学変化素子転写用、透明保護層用、硬化型保護層用のものが含まれる。
【００２５】
オーバーコートユニット７０の搬送方向３０の下流側には、スタッカユニット８０が配設されている。スタッカユニット８０は上記各ユニットにより処理が施されたカードを格納する。
【００２６】
〔カード搬送装置〕
図２及び図３はカード搬送装置１００の正面図であり、図４及び図５はカード搬送装置１００の上面図である。図２及び図３の図示方向は図１の図示方向と同じであり、ホッパー１１〜１３内のカードはカード搬出装置によって図１〜図３の紙面奥から手前に搬出される。また、図２〜図５においては図面を見やすくするためにホッパーユニット１０の図示を省略する。
【００２７】
カード搬送装置１００はシャーシ１０１を有し、そのシャーシ１０１がホッパーユニット１０の下部正面に設けられている。シャーシ１０１は箱状に設けられ、シャーシ１０１の上面が開口している。なお、図２及び図３では、シャーシ１０１を図４の断面II−IIに沿って破断した状態で示す。
【００２８】
シャーシ１０１の背面には搬送板１０２が水平な状態に取り付けられ、搬送板１０２の上面が搬送路となる。また、シャーシ１０１の背面には軸１０３〜１０７がシャーシ１０１の背面を貫通した状態で取り付けられ、軸１０３〜１０７が軸受によってシャーシ１０１に対してそれぞれの軸心周りに回転可能となっている。これらの軸１０３〜１０７が互いに平行とされ、軸１０３〜１０７が搬送経路の上流から順に配列され、軸１０３〜１０７のうち隣り合う軸の間隔がカードの長さよりも短い。軸１０４はシャーシ１０１の前面を貫通して前方に延出し、軸１０４の前側端部にツマミ１７２が直結されている。なお、図２及び図３では、図面を見やすくするためにツマミ１７２の図示を省略する。
【００２９】
シャーシ１０１の内側においては、プーリー１１３が軸１０３と同軸になるよう軸１０３に設けられ、二段プーリー１１４が軸１０４と同軸になるよう軸１０４に設けられ、二段プーリー１１５が軸１０５と同軸になるよう軸１０５に設けられ、二段プーリー１１６が軸１０６と同軸となるよう軸１０６に設けられ、プーリー１１７が同軸となるよう軸１０７に設けられている。
【００３０】
プーリー１１３及び二段プーリー１１４には無端状のベルト１１８が掛けられ、二段プーリー１１４及び二段プーリー１１５には無端状のベルト１１９が掛けられ、二段プーリー１１５及び二段プーリー１１６には無端状のベルト１２０が掛けられ、二段プーリー１１６及びプーリー１１７には無端状のベルト１２１が掛けられている。
【００３１】
シャーシ１０１の内側においては、ウォームホイール１８１が軸１０５と同軸になるよう軸１０５に設けられている。一方、ウォームホイール１８１と噛み合い可能なウォーム１８２がモータ１８３の駆動取出軸に直結されている。このモータ１８３は、レバー１８４に固定されている。レバー１８４の基端部が軸１０５と平行な軸部材１８５によってシャーシ１０１の内側においてシャーシ１０１の背面に取り付けられ、レバー１８４が軸部材１８５を中心にして回転可能となっている。
【００３２】
また、軸部材１８５にはねじりバネ１８７が巻装され、ねじりバネ１８７の一端がシャーシ１０１のバネ掛け部１０１ａに掛けられ、ねじりバネ１８７の他端がモータ１８３又はレバー１８４に掛けられている。このねじりバネ１８７は軸部材１８５を中心として図２の時計回りにレバー１８４及びモータ１８３を付勢し、これによりウォーム１８２がウォームホイール１８１に噛み合うことでレバー１８４の時計回りへの回転が抑止され、ねじりバネ１８７の付勢力につり合う。ウォーム１８２がウォームホイール１８１に噛み合った状態では、レバー１８４の先端部がシャーシ１０１の上側開口から上に延出している。レバー１８４の先端部には、ローラ状の受け部材１８８がその軸回りに回転可能となって取り付けられている。
【００３３】
シャーシ１０１の後方において、搬送ローラ１２３が軸１０３と同軸になるよう軸１０３に設けられ、搬送ローラ１２４が軸１０４と同軸になるよう軸１０４に設けられ、搬送ローラ１２５が軸１０５と同軸になるよう軸１０５に設けられ、搬送ローラ１２６が軸１０６と同軸となるよう軸１０６に設けられ、搬送ローラ１２７が同軸となるよう軸１０７に設けられている。これら搬送ローラ１２３〜１２７の上部母線が搬送板１０２の上面（搬送面）よりも僅かながら上に突出している。
【００３４】
軸１０４，１０６のそれぞれの近傍において、板バネ状の取付部１３４，１３６がシャーシ１０１の背面に設けられ、これら取付部１３４，１３６のそれぞれに圧接ローラ１４４，１４６が回転可能となって取り付けられ、圧接ローラ１４４，１４６が搬送ローラ１２４，１２６にそれぞれ圧接している。
【００３５】
軸１０３，１０５，１０７のそれぞれの近傍において、取付部１３３，１３５，１３７がそれぞれのピン１３３ａ，１３５ａ，１３７ａによってシャーシ１０１の背面に取り付けられ、取付部１３３，１３５，１３７がそれぞれのピン１３３ａ，１３５ａ，１３７ａを中心にして上下に起伏可能となっている。取付部１３３，１３５，１３７のそれぞれに圧接ローラ１４３，１４５，１４７が回転可能となって取り付けられている。取付部１３３，１３５，１３７のそれぞれにはアクチュエータ１５３，１５５，１５７が連結され、アクチュエータ１５３，１５５，１５７が取付部１３３，１３５，１３７を下に倒伏することで、圧接ローラ１４３，１４５，１４７が搬送ローラ１２３，１２５，１２７に圧接し、アクチュエータ１５３，１５５，１５７が取付部１３３，１３５，１３７を上に起こすことで、圧接ローラ１４３，１４５，１４７が搬送ローラ１２３，１２５，１２７から離れる。
【００３６】
シャーシ１０１にはカバー１７１が設けられている。このカバー１７１の左右の縁部が左右方向の回転軸回りに回転可能となってシャーシ１０１の左右の側面に取り付けられている。カバー１７１がその回転により、図２及び図４に示すように搬送板１０２の上を覆った状態と、図３及び図５に示すようにシャーシ１０１の上側開口を閉塞した状態との間で移動可能となっている。
【００３７】
図２及び図４に示すようにカバー１７１が搬送板１０２の上を覆った状態では、搬送ローラ１２３〜１２７、圧接ローラ１４３〜１４７及び取付部１３３〜１４７がカバー１７１の下方にある。この状態では、レバー１８４の先端部に取り付けられた受け部材１８８がカバー１７１の回転軸よりも上方に位置し、ウォーム１８２がウォームホイール１８１に噛み合っている。
【００３８】
一方、図３及び図５に示すようにカバー１７１がシャーシ１０１の上側開口を閉塞した状態では、アクチュエータ１５３，１５５，１５７、プーリー１１３〜１１７及びベルト１１８〜１２１がカバー１７１の下方にある。この状態では、ウォーム１８２がウォームホイール１８１から外れた状態となり、受け部材１８８がカバー１７１の下側でカバー１７１に当接することでレバー１８４の時計回りへの回転が抑止され、ねじりバネ１８７の付勢力につり合う。
【００３９】
なお、上記構成において、動力伝達部はウォーム１８２であり、搬送部材は搬送ローラ１２３〜１２７であり、付勢手段はねじりバネ１８７である。また。ベルト伝動機構が、ウォームホイール１８１、軸１０３〜１０７、プーリー１１３〜１１７及びベルト１１８〜１２１を有する。
【００４０】
次に、カード搬送装置１００の動作及び使用方法について説明する。
まず、ユーザがカバー１７１を回転させることで搬送板１０２の上をカバー１７１で覆うと、ねじりバネ１８７の付勢力によってウォーム１８２がウォームホイール１８１に噛み合う。
【００４１】
そして、モータ１８３が作動し、モータ１８３の動力がウォーム１８２、ウォームホイール１８１、プーリー１１３〜１１７及びベルト１１８〜１２１によって軸１０３〜１０７に伝動し、搬送ローラ１２３〜１２７が回転する。次に、ホッパー１１〜１３内のカードがカード搬出装置によって搬送板１０２の上に搬出されると、アクチュエータ１５３，１５５，１５７によって取付部１３３，１３５，１３７が倒伏して、圧接ローラ１４３，１４５，１４７が搬送ローラ１２３，１２５，１２７に圧接し、カードが搬送される。カードが搬送されて搬送板１０２の外側に出たら、アクチュエータ１５３，１５５，１５７によって取付部１３３，１３５，１３７が起立し、以後カードがホッパー１１〜１３から搬送板１０２の上に搬出されるごとに、アクチュエータ１５３，１５５，１５７が同様に動作する。なお、ホッパー１１から排出されたカードは搬送ローラ１２３と圧接ローラ１４３との間に挟まれた後に、搬送ローラ１２４，１２５，１２６，１２７の順に図２の図面左へ搬送され、ホッパー１２から排出されたカードは搬送ローラ１２５と圧接ローラ１４５との間に挟まれた後に、ローラ１０６，１０７の順に左へ搬送され、ホッパー１３から排出されたカードはローラ１２７と圧接ローラ１４７との間に挟まれた後に、左へ搬送される。
【００４２】
以上のようにカードが順次搬送されている時に、カードが傾いたり曲がったりすることでカードが搬送されず、カードのジャムが発生する。その場合には、モータ１８３を停止させる。そして、ユーザがカバー１７１を回転させることでシャーシ１０１の上側開口をカバー１７１で閉塞すると、カバー１７１が受け部材１８８に当接し、カバー１７１の重みでレバー１８４がねじりバネ１８７の付勢力に抗して反時計回りに回転する。これにより、ウォーム１８２がウォームホイール１８１から外れる。そして、ユーザは、ツマミ１７２を回転することによって、搬送ローラ１２３〜１２７と圧接ローラ１４３〜１４７との間に挟まれてカードを図２の右又は左に移動させる。これにより、残留したカードに触らずにそのカードを安全に取り出すことができ、残留したカードの汚れを防止することができる。
【００４３】
残留したカードを取り出したら、ユーザがカバー１７１を回転させることで搬送板１０２の上をカバー１７１で覆うと、ねじりバネ１８７の付勢力によってウォーム１８２がウォームホイール１８１に噛み合い、モータ１８３の動力がウォームホイール１８１に伝動可能となる。
【００４４】
なお、カードのジャム発生時にモータ１８３を停止させずとも、カバー１７１でレバー１８４を押し下げれば、ウォーム１８２がウォームホイール１８１から外れるので、ツマミ１７２を回転させることで、残留したカードを取り出すことができる。
【００４５】
以上のように、本実施形態によれば、ウォームホイール１８１とウォーム１８２が連結した状態ではウォームホイール１８１からウォーム１８２へ動力が伝動しないから、ユーザがツマミ１７２を回転することもできないが、カバー１７１によってレバー１８４を押し下げれば、ウォームホイール１８１からウォーム１８２が外れるので、軽い力でツマミ１７２を回転することができ、残留したカードを簡単に取り出すことができる。
【００４６】
なお、本発明は、上記実施の形態に限定されることなく、本発明の趣旨を逸脱しない範囲において、種々の改良並びに設計の変更を行っても良い。
上記実施形態では、搬送部材として搬送ローラ１２３〜１２７を用いたが、搬送ローラ１２３〜１２７の代わりに搬送ベルトを用いても良い。例えば、搬送ローラ１２３〜１２７の代わりにプーリーを軸１０３〜１０７に取り付け、プーリーに搬送ベルトを掛ければ良く、圧接ローラ１４３〜１４７が搬送ベルトに圧接する。この場合、搬送板１０２を設けない方が望ましく、搬送ベルトの上面が搬送路となる。
【００４７】
また、上記実施形態では、伝動機構としてベルト伝動機構を用いたが、チェーン伝動機構、ギア伝動機構、その他の伝動機構を用いても良い。例えば、プーリー１１３〜１１７の代わりにスプロケットを用い、ベルト１１８〜１２１の代わりにチェーンを用いると、チェーン伝動機構になる。また、プーリー１１３〜１１７及びベルト１１８〜１２１の代わりに、軸１０３〜１０７のそれぞれに歯車を設け、これら歯車を噛み合わせれば、ギア伝動機構になる。
【００４８】
また、上記実施形態では、動力伝達部材として、ウォーム１８２を用いたが、別の歯車を用いても良い。この場合、その歯車に噛み合い可能な歯車をウォームホイール１８１の代わりに軸１０５に直結する。
また、動力伝達部材として、歯車を用いずとも良い。例えば、ウォーム１８２の代わりにローラをモータ１８３の駆動取出軸に直結し、ウォームホイール１８１の代わりにローラを軸１０５に直結としても良い。この場合、レバー１８４がねじりバネ１８７によって押し上げられると、モータ１８３側のローラが軸１０５側のローラに圧接し、モータ１８３の動力が軸１０５に伝動可能となる。一方、レバー１８４がカバー１７１によって押し下げられると、モータ１８３側のローラが軸１０５側のローラから離れて、動力の伝動が切断される。
【００４９】
また、上記実施形態ではレバー１８４が軸１８５を中心にして回転可能となっているが、レバー１８４がシャーシ１０１に対してスライド可能となっていても良い。
【００５０】
また、上述した変形例を可能な範囲で組み合わせても良い。
【図面の簡単な説明】
【００５１】
【図１】カードプリンタの正面図である。
【図２】搬送板をカバーで覆った状態におけるカード搬送装置の正面図である。
【図３】レバーをカバーで押し下げた状態におけるカード搬送装置の正面図である。
【図４】搬送板をカバーで覆った状態におけるカード搬送装置の上面図である。
【図５】レバーをカバーで押し下げた状態におけるカード搬送装置の上面図である。
【符号の説明】
【００５２】
１００  カード搬送装置
１０１  シャーシ
１０３〜１０７  軸
１２３〜１２７  搬送ローラ（搬送部材）
１１３〜１１７  プーリー
１１８〜１２１  ベルト
１７１  カバー
１７２  ツマミ
１８２  ウォーム（動力伝達部）
１８３  モータ
１８４  レバー
１８７  ねじりバネ（付勢手段）
【図１】
2007145571.tif 000003
【図２】
2007145571.tif 000004
【図３】
2007145571.tif 000005
【図４】
2007145571.tif 000006
【図５】
2007145571.tif 000007